(57)【特許請求の範囲】
【請求項１】
金庫室とブースとが互いに、仕切扉を有する外壁部を介して隣接して構成される自動貸金庫装置であって、
前記金庫室内に設けられ、金庫ボックスを載置支持面上に格納可能な格納部を複数有する第１の格納棚と、
前記金庫ボックスを前記金庫室と前記ブースとの間で移動させる搬送機構部と、
前記第１の格納棚の側面の所定箇所に設けられ、前記搬送機構部における少なくとも一部の駆動制御を行う駆動制御部を格納した制御ボックスとを備え、
前記外壁部の前記仕切扉は、開状態時に前記制御ボックスの一部が露出する開口領域を提供し、
前記制御ボックスは、第１の設置状態と、前記制御ボックスの前記開口領域における露出面積が前記第１の設置状態より大きい第２の設置状態との間を、可変移動可能に設けられることを特徴とする、
自動貸金庫装置。
【請求項２】
請求項１記載の自動貸金庫装置であって、
前記各格納部との間で金庫ボックスを移載可能な移載ユニットと、
金庫利用者が前記金庫ボックスに対して物品を出し入れするためのブース台とをさらに有し、
前記移載ユニットは前記金庫室内に設けられ、前記ブース台は前記ブース内に設けられ、
前記搬送機構部は、前記移載ユニットを前記各格納部に対向する第１の搬送位置と前記ブース台に対して金庫ボックスを搬出入可能な第２の搬送位置との間で移動させ、
前記制御ボックスは上面領域に内部の前記駆動制御部をメンテナンス可能に開放可能な上面蓋部を有し、
前記仕切扉の開状態時に前記制御ボックスが露出する開口領域は前記上面領域を含み、
前記第１及び第２の設置状態における前記制御ボックスの前記開口領域における露出面積は、前記上面領域の露出面積を含む、
自動貸金庫装置。
【請求項３】
請求項２記載の自動貸金庫装置であって、
金庫ボックスを載置支持面上に格納可能な格納部を複数有し、所定の間隔を有して前記第１の格納棚と対向配置される第２の格納棚をさらに備え、前記第２の格納棚は前記金庫室内に設けられ、
前記所定の間隔は、金庫利用者が第１及び第２の格納棚間を通行可能な間隔を含み、
前記第１の設置状態は前記第２の設置状態に比べ、前記第１及び第２の格納棚間の通行を妨げない設置状態を含む、
自動貸金庫装置。
【請求項４】
請求項２あるいは請求項３記載の自動貸金庫装置であって、
前記制御ボックスは押圧操作により前記駆動制御部を電源停止させる停止用ボタンを前記上面領域に有し、前記停止用ボタンは、前記第１及び第２の設置状態双方において、前記開口領域に露出していることを特徴とする、
自動貸金庫装置。
【発明の詳細な説明】
【技術分野】
【０００１】
この発明は、金庫ボックス等の内箱を自動で出し入れする自動貸金庫装置に関し、当該自動貸金庫装置の金庫室内に設けられる制御ボックスの設置に関する。
【背景技術】
【０００２】
従来、この種の自動貸金庫装置として、特許文献１に開示のものがある。
【０００３】
特許文献１は、収納棚間で昇降自在なキャリッジと、このキャリッジに搭載されて、対面配置された一対の収納棚に対して内函を移載する移載ユニットとを内部に有する金庫室を開示している。移載ユニットは、ベースフレームの前後両端に、互いに平行な棒状の係合部材が水平に付設された構成とされている。この移載ユニットの下端部にある一対の支持プレートがタイミングベルトに連結されている。そして、モータの駆動により前記タイミングベルトを回転させることで、一方の係合部材をキャリッジから一方の収納棚に延出させる位置と他方の係合部材をキャリッジから他方の収納棚に延出させる位置との間で移載ユニットを移動させて、収納棚に対する内函の移載を行う構成とされている。
【０００４】
特許文献１において、金庫室には、ブースが付設されている。ブースには、電子錠付きの扉を介して認証済みの顧客が入室することができる。ブース内には、顧客が認証して操作する操作パネル、外部と連絡するインターホン、金庫室から搬出される内函を確認して利用するためのスライド蓋付きの開口部、照明器具などが配置されている。
【０００５】
また、金庫室とブースとの間は外壁部を介して隣接配置されている。外壁部はブースとの境界を含み金庫室外周に設けられる。すなわち、金庫室は、必要十分な耐火性能、防盗性能を備えた外壁部がその外周に構築されている。この外壁部における金庫室，ブースとの間に仕切扉が設けられる。この仕切扉を開状態にすることにより、ブースから金庫室内に金庫利用者等が入ることができる。
【先行技術文献】
【特許文献】
【０００６】
【特許文献１】特開２００６−３２８７５３号公報
【発明の概要】
【発明が解決しようとする課題】
【０００７】
一方、移載ユニット等を駆動制御する駆動制御部を有する制御ボックスは金庫室内の所定箇所に設置され、必要に応じて上記仕切扉を開状態にして、作業員がブースから金庫室内に入り制御ボックス内の駆動制御部の良否検査等のメンテナンス作業を行うのが一般的であった。
【０００８】
一方、金庫利用者の要請等に応えるべく、自動貸金庫装置の省スペース化を図る場合、収納棚（格納棚）の縮小、金庫室の小面積化を図る必要がある。
【０００９】
したがって、自動貸金庫装置の省スペース化を優先する場合、比較的頻度の低い制御ボックスのメンテナンス時において十分な作業空間を金庫室内に確保すること困難になるため、制御ボックスのメンテナンスに支障を来してしまうという問題点があった。
【００１０】
この発明は上記問題点を解決するためになされたもので、自動貸金庫装置の省スペース化時においても、制御ボックスのメンテナンスが支障なく可能な自動貸金庫装置を得ることを目的とする。
【課題を解決するための手段】
【００１１】
上記課題を解決するため、第１の態様に係る自動貸金庫装置は、金庫室とブースとが互いに、仕切扉を有する外壁部を介して隣接して構成される自動貸金庫装置であって、前記金庫室内に設けられ、金庫ボックスを載置支持面上に格納可能な格納部を複数有する第１の格納棚と、前記金庫ボックスを前記金庫室と前記ブースとの間で移動させる搬送機構部と、前記第１の格納棚の側面の所定箇所に設けられ、前記搬送機構部における少なくとも一部の駆動制御を行う駆動制御部を格納した制御ボックスとを備え、前記外壁部の前記仕切扉は、開状態時に前記制御ボックスの一部が露出する開口領域を提供し、前記制御ボックスは、第１の設置状態と、前記制御ボックスの前記開口領域における露出面積が前記第１の設置状態より大きい第２の設置状態との間を、可変移動可能に設けられている。
【００１２】
第２の態様に係る自動貸金庫装置は、第１の態様の自動貸金庫装置であって、前記各格納部との間で金庫ボックスを移載可能な移載ユニットと、金庫利用者が前記金庫ボックスに対して物品を出し入れするためのブース台とをさらに有し、前記移載ユニットは前記金庫室内に設けられ、前記ブース台は前記ブース内に設けられ、前記搬送機構部は、前記移載ユニットを前記各格納部に対向する第１の搬送位置と前記ブース台に対して金庫ボックスを搬出入可能な第２の搬送位置との間で移動させ、前記制御ボックスは上面領域に内部の前記駆動制御部をメンテナンス可能に開放可能な上面蓋部を有し、前記仕切扉の開状態時に前記制御ボックスが露出する開口領域は前記上面領域を含み、前記第１及び第２の設置状態における前記制御ボックスの前記開口領域における露出面積は、前記上面領域の露出面積を含む。
【００１３】
第３の態様に係る自動貸金庫装置は、第２の態様の自動貸金庫装置であって、金庫ボックスを載置支持面上に格納可能な格納部を複数有し、所定の間隔を有して前記第１の格納棚と対向配置される第２の格納棚をさらに備え、前記第２の格納棚は前記金庫室内に設けられ、前記所定の間隔は、金庫利用者が第１及び第２の格納棚間を通行可能な間隔を含み、前記第１の設置状態は前記第２の設置状態に比べ、前記第１及び第２の格納棚間の通行を妨げない設置状態を含む。
【００１４】
第４の態様に係る自動貸金庫装置は、第２あるいは第３の態様の自動貸金庫装置であって、前記制御ボックスは押圧操作により前記駆動制御部を電源停止させる停止用ボタンを前記上面領域に有し、前記停止用ボタンは、前記第１及び第２の設置状態双方において、前記開口領域に露出している。
【発明の効果】
【００１５】
第１の態様に係る自動貸金庫装置によると、制御ボックスは、第１の設置状態と、開口領域における露出面積が上記第１の設置状態より大きい第２の設置状態との間を、可変移動可能に設けられることを特徴としている。
【００１６】
したがって、仕切扉を開状態にした後、必要に応じて制御ボックスを第１の設置状態あるいは第２の設置状態にして、制御ボックスに関連した作業を行うことができる効果を奏する。
【００１７】
第２の態様に係る自動貸金庫装置において、制御ボックスが設けられる所定箇所は第１の格納棚の側面を含み、制御ボックスは上面領域に内部の駆動制御部をメンテナンス可能に開放可能な上面蓋部を有し、仕切扉の開状態時に前記制御ボックスが露出する開口領域は前記上面領域を含んでいる。
【００１８】
したがって、制御ボックス内の駆動制御部のメンテナンス時は、制御ボックスを第２の設置状態に設定して、上面蓋部の開放操作、内部の駆動制御部のメンテナンス操作についての操作性を、第１の設置状態と比較して大きく向上させることができる効果を奏する。
【００１９】
この効果は、金庫室内の領域の縮小化、第１の格納棚自体の縮小化等の面積制約により、仕切扉による開口領域の自由度が狭くなる場合において顕著に発揮することができる。その結果、省スペース化時においても、制御ボックスのメンテナンスが支障なく可能な自動貸金庫装置を得ることができる。
【００２０】
第３の態様に係る自動貸金庫装置において、通常時は、制御ボックスを第１の設置状態に設定することにより、金庫利用者は金庫室内において第１及び第２の格納棚間を通行することができる。
【００２１】
第４の態様に係る自動貸金庫装置において、制御ボックスは、第１及び第２の設置状態双方において、開口領域に露出する停止用ボタンを有していることを特徴とする。
【００２２】
したがって、第１の設置状態とする通常時及び第２の設置状態とするメンテナンス時のいずれにおいても、支障なく停止用ボタンを押圧することにより、駆動制御部を比較的簡単に電源停止させることができる効果を奏する。
【図面の簡単な説明】
【００２３】
【図１】実施形態に係る自動貸金庫装置を示す概略斜視図である。
【図２】同貸金庫装置を示す概略側面図である。
【図３】同貸金庫装置を示す概略平面図である。
【図４】金庫室内における制御ボックスの配置状態（通常時設置状態）を示す平面図である。
【図５】金庫室内における制御ボックスの配置状態（メンテナンス時設置状態）を示す平面図である。
【図６】仕切扉の開状態における制御ボックスの露出状態を模式的に示す正面図である。
【図７】制御ボックスの上部の設置状態の詳細を示す斜視図である。
【図８】制御ボックスの全体の設置状態を模式的に示す正面図である。
【発明を実施するための形態】
【００２４】
＜発明の原理＞
前述したように、自動貸金庫装置の省スペース化を優先する場合、比較的頻度の低い制御ボックスのメンテナンス時において十分な作業空間を金庫室内に確保することは困難となっている。その点を補うべく、金庫室，ブース間の仕切扉を開状態にした時、制御ボックスが露出する開口領域を提供するように、制御ボックス及び仕切扉それぞれを設ける対応が考えられる。
【００２５】
この場合、制御ボックスのメンテナンス作業を作業者自身はブース内の空間を利用して行うことができるため、金庫室内に制御ボックスのメンテナンス時における作業空間を確保する必要がなくなるという利点がある。
【００２６】
しかしながら、外壁部は必要十分な耐火性能、防盗性能を備えるべく、比較的厚みを有するボールトウォール（耐火・耐破壊壁体ユニット）と呼ばれる態様で設けることが一般的であるため、上記仕切扉の設置箇所にも制約を受ける結果、開状態時において制御ボックスの大部分が露出する、すなわちメンテナンス可能に、開口領域を提供する仕切扉を設けることは困難である。この困難性は、自動貸金庫装置の省スペース化を重視する場合、より顕著となる。
【００２７】
そこで、従来は固定して設けることが一般的であった制御ボックスを、メンテナンス時においては仕切扉の開口領域における露出面積が増大する方向に可変移動可能にしたのが本発明である。
【００２８】
＜実施の形態＞
以下、実施形態に係る自動貸金庫装置及び金庫ボックスの搬送方法について説明する。
【００２９】
＜全体構成＞
まず、自動貸金庫装置の全体構成について説明する。図１は自動貸金庫装置１０を示す概略斜視図であり、図２は同貸金庫装置１０を示す概略側面図であり、図３は同貸金庫装置１０を示す概略平面図である。
【００３０】
この自動貸金庫装置１０は、一対の格納棚１２（第１及び第２の格納棚）と、ブース台２０と、ブース側搬送機構部３０と、棚側搬送機構部４０と、移載ユニット６０とを備えている。一対の格納棚１２、棚側搬送機構部４０及び昇降機構部５０は金庫室１８内に存在し、ブース台２０及びブース側搬送機構部３０は利用ブース２８内に存在する。
【００３１】
そして、一対の格納棚１２のうち一方の格納棚１２（第１の格納棚）における利用ブース２８側の側面において、内部に駆動制御部（図示せず）を有する制御ボックス１が設置され、制御ボックス１はその上面上部に停止ボタン２を有している。なお、以下では、格納棚１２の長手方向における長辺部分の面を前後面、短手方向の短辺部分の面を側面として説明する。
【００３２】
また、外壁部１５における金庫室１８，利用ブース２８間の仕切壁部分に制御ボックス１に対向するように左開きの仕切扉９が設けられる。なお、制御ボックス１は棚側搬送機構部４０，昇降機構部５０等の電気配線の配線効率等を考慮すると、格納棚１２の側面に設けることが望ましい。
【００３３】
この自動貸金庫装置１０では、上記一対の格納棚１２に格納された金庫ボックス９０が、移載ユニット６０及び棚側搬送機構部４０、さらに、ブース側搬送機構部３０を介してブース台２０に搬送される。これにより、利用者は、当該ブース台２０において金庫ボックス９０に対する物品（通常は、貴重品）等の出し入れを行う。また、利用者による金庫ボックス９０の利用終了後、ブース台２０に位置する金庫ボックス９０が、ブース側搬送機構部３０、さらに棚側搬送機構部４０及び移載ユニット６０を介して一対の格納棚１２に格納される。
【００３４】
格納棚１２は、金庫ボックス９０を格納可能な格納部１３を複数有している。ここでは、格納棚１２は、適宜間隔を有して立設された複数の棚支柱に、複数の棚板が略水平面に沿った姿勢で鉛直方向に間隔をあけて多段に配設固定された構成とされている。これにより、棚支柱及び棚段によって画される略直方体空間が、金庫ボックス９０を格納可能な格納部１３として、縦横に並ぶようにして複数構成されている。もっとも、格納棚は、上記構成に限られず、複数の棒状部材を組合わせた骨組状のフレーム構造によって構成されていてもよい。要するに、格納棚は、金庫ボックスを格納可能な格納部を複数有していればよい。かかる格納棚１２は、平面視において所定方向に長い長尺状、より具体的には、所定方向に長い長方形状を呈している。
【００３５】
一対の格納棚１２は、その長手方向を一方向に揃えた姿勢で、所定の間隔を有して対向配置されている。換言すれば、一対の格納棚１２は、所定の間隔を有して並列状に配設されている。一対の格納棚１２間には、棚側搬送機構部４０及び移載ユニット６０を配設可能な幅の隙間が形成されている。また、一対の格納棚１２（第１及び第２の格納棚）間の所定の間隔は金庫利用者が通行可能な間隔でもある。
【００３６】
この一対の格納棚１２は、通常、立入りを管理された管理エリア、より具体的には、周囲が外壁部１５によって取囲まれた金庫室１８内に設置される。
【００３７】
また、金庫室１８に隣接して利用ブース２８が設けられており、この利用ブース２８内にブース台２０が設けられている。ここで、利用ブース２８は、通常、立入りを管理された管理エリアであり、より具体的には、周囲がブース壁によって囲まれると共に施錠可能な扉２９を通じて入退室可能なエリアである。この利用ブース２８と金庫室１８との間も、外壁部１５による仕切壁部分によって仕切られている。
【００３８】
ブース台２０は、上部に天板２２を有する略筺状に形成されている。天板２２には、略方形状の天板開口２３が形成されており、ブース台２０内部の金庫ボックス９０が、当該天板開口２３を通じて天板２２に突出するように配設される。このように、ブース台２０の天板２２に突出するように金庫ボックス９０が配設されることで、金庫の利用者は金庫ボックス９０に対して物品の出し入れを行えるようになる。なお、上記天板開口２３は、その内部に金庫ボックス９０が配設されていない状態では、開閉自在な蓋によって塞がれていることが好ましい。
【００３９】
また、ブース台２０の内部空間は、外壁部１５の上記仕切壁部分を貫通して金庫室１８内に連通しており、金庫室１８内の金庫ボックス９０はその連通部分を経由してブース台２０内に搬送される。
【００４０】
また、移載ユニット６０は、一対の格納棚１２の双方に対して金庫ボックス９０を移載可能に構成されている。そして、移載ユニット６０が各格納棚１２のいずれかの格納部１３と対向する位置に配設された状態で、当該対向する格納部１３に格納された金庫ボックス９０を自己に取込むように移載して載置状に支持し、或は、自己に載置状に支持した金庫ボックス９０を対向する格納部１３に送込むように移載して当該格納部１３に載置状に格納する。
【００４１】
棚側搬送機構部４０は、上記移載ユニット６０を、一対の格納棚１２の任意の格納部１３に対向させる位置（第１の搬送位置）と、ブース側搬送機構部３０に対向させる位置（第２の搬送値）との間で移動させるように構成されている。
【００４２】
より具体的には、棚側搬送機構部４０は、走行機構部４２と、昇降機構部５０とを備えている。
【００４３】
走行機構部４２は、一対の格納棚１２間の隙間の延在方向に沿って、当該一対の格納棚１２の各格納部１３に対向する位置とブース側搬送機構部３０に対向する位置との間で往復移動可能に構成されている。このような走行機構部４２としては、モータ等の回転駆動によって車輪を回転させることで走行する機構等、周知構造を含む種々の移動機構を採用することができる。
【００４４】
昇降機構部５０は、移載ユニット６０を、格納棚１２の最下段の格納部１３と最上段の格納部１３との間で昇降移動させ、当該移載ユニット６０を、各段の格納部１３及びブース側搬送機構部３０に対向する各位置に昇降移動させるように構成されている。このような昇降機構部５０としては、例えば、移載ユニット６０を一対の支柱５２によって昇降移動可能に支持し、一方の支柱５２の上下端部に設けられた一対の歯車に環状ベルト（環状チェーン等）を巻掛け、移載ユニット６０を一対の歯車体間で環状ベルトに連結し、一方の歯車体をモータ等の駆動部で回転させることで、環状ベルトを回転させて、移載ユニット６０を昇降移動させる構成を採用することができる。昇降機構部５０としては、上記の他、リニアモータを用いた構成であってもよいし、つり合いおもりを用いたトラクション式の機構において滑車部分をモータで駆動して移載ユニット６０を昇降させる構成であってもよい。
【００４５】
ブース側搬送機構部３０は、上記棚側搬送機構部４０との間で金庫ボックス９０を移載可能に構成されると共に、金庫ボックス９０をブース台２０に対して搬出入可能に構成されている。より具体的には、ブース側搬送機構部３０は、ブース側水平移動部３２と、ブース側昇降移動部３６とを有している。ブース側水平移動部３２は、一方の格納部１３の一側部とブース台２０内のブース側昇降移動部３６との間に配設されている。ブース側水平移動部３２は、一方の格納棚１２の外側方位置で移載ユニット６０との間で金庫ボックス９０を移載可能に構成されると共に、一方の格納棚１２の外側方位置とブース側昇降移動部３６と隣接する位置との間で金庫ボックス９０を往復移動させるように構成されている。このようなブース側水平移動部３２としては、複数のローラが所定方向に沿って適宜間隔をあけて略並列姿勢で回転可能に支持されると共に、当該ローラがモータ等の駆動により搬送方向に沿って回転駆動されるようにしたコンベア等、周知の水平移動機構を含む種々構成を採用することができる。ブース側昇降移動部３６は、ブース台２０内部であって天板開口２３の下方に設けられており、上記ブース側水平移動部３２から金庫ボックス９０が移載されると、当該金庫ボックス９０を天板開口２３から突出させるように上昇させると共に、天板開口２３から突出する金庫ボックス９０をブース側水平移動部３２に移載可能な位置に下降させるように構成されている。このようなブース側昇降移動部３６としては、上記昇降機構部５０と同様に、モータと環状ベルト等を利用した構成、リニアモータを用いた構成等、周知技術を含む種々の昇降機構を採用することができる。
【００４６】
なお、ブース側水平移動部３２とブース側昇降移動部３６と間における金庫ボックス９０の移載は、別途、モータ等の駆動により金庫ボックス９０を押圧移動させるプッシャー機構を設け、当該プッシャー機構の駆動によって行ってもよいし、或は、ブース側昇降移動部３６にブース側水平移動部３２と同様のコンベアを設け、当該コンベアとブース側水平移動部３２との協動的な搬送動作により行われるものであってもよい。ここでは、後者の例で説明する。
【００４７】
この自動貸金庫装置では、ブース側搬送機構部３０及び棚側搬送機構部４０によって、移載ユニット６０を各格納部１３に対向する位置とブース台２０に対して金庫ボックス９０を搬出入可能な位置との間で移動させる搬送機構部が構成されている。
【００４８】
もっとも、ブース側昇降移動部３６を省略し、ブース側水平移動部３２による金庫ボックス９０の移動動作によって金庫ボックス９０が天板開口２３の下方位置に配設され、当該位置で利用者が金庫ボックス９０を利用可能な構成であってもよい。また、ブース側水平移動部３２が省略され、棚側搬送機構部４０とブース側昇降移動部３６との間で直接的に金庫ボックス９０が移載される構成であってもよい。また、ブース側搬送機構部３０が省略され、棚側搬送機構部４０によって直接的にブース台２０に対して金庫ボックス９０が搬出入される構成であってもよい。
【００４９】
また、この自動貸金庫装置１０は、制御ユニット９６と入力部９８とを備えている。入力部９８は、キーボード、タッチパネル等、本自動貸金庫装置１０に対する諸指示を受付け可能に構成されており、受付けた諸指示を制御ユニット９６に入力可能なように当該制御ユニット９６に接続されている。入力部９８は、利用ブース２８内に設けられていてもよいし、別箇所に設けられていてもよい。制御ユニット９６は、ＣＰＵ、ＲＯＭおよびＲＡＭ等を備える一般的なマイクロコンピュータによって構成されており、上記ブース側搬送機構部３０と棚側搬送機構部４０と移載ユニット６０とのそれぞれに対して諸動作指令を付与可能に接続されている。そして、この制御ユニット９６は、予め格納されたソフトウエアプログラム及び入力部９８を通じて入力された諸指示に従って、次述するように、本自動貸金庫装置１０の全体動作を制御する。
【００５０】
この自動貸金庫装置１０による金庫ボックス９０の出し入れ動作について説明する。
【００５１】
まず、一対の格納棚１２の各格納部１３にそれぞれ金庫ボックス９０が格納されている。なお、金庫ボックス９０を各格納棚１２に格納するに際して、各格納部１３の位置と金庫ボックス９０の特定情報とを対応づけた格納位置情報が作成され、当該格納位置情報が制御ユニット９６の記憶部又は当該制御ユニット９６からアクセス可能な記憶部に記憶されている。
【００５２】
この状態で、入力部９８に対して所定の金庫ボックス９０の特定情報及び当該金庫ボックス９０を利用したい旨の指示を入力する。入力部９８に対する入力は、本自動貸金庫装置１０の利用者が行ってもよいし、別途存在する係員等が行ってもよい。すると、制御ユニット９６は、格納位置情報を参照して特定された金庫ボックス９０が存在する格納部１３の位置を特定し、当該特定された格納部１３に対向する位置に移載ユニット６０を移動させるように、棚側搬送機構部４０に動作指令を与える。これにより、移載ユニット６０は当該特定された格納部１３に対向する位置に移動する。この状態で、制御ユニット９６から移載ユニット６０に金庫ボックス９０の取込み指令が与えられ、移載ユニット６０は特定された格納部１３から金庫ボックス９０を取込むようにして移載動作を行う（図３の矢符Ｐ１参照）。
【００５３】
上記動作が終了すると、制御ユニット９６は、移載ユニット６０をブース側水平移動部３２と対向する位置に移動させるように、棚側搬送機構部４０に動作指令を与える。これにより、移載ユニット６０は、一方の格納棚１２の外側方位置で、ブース側水平移動部３２と対向する位置に配設される（図３の矢符Ｐ２参照）。この状態で、制御ユニット９６から移載ユニット６０に金庫ボックス９０の送出し指令が与えられ、移載ユニット６０は、自己に載置された金庫ボックス９０をブース側水平移動部３２に送込むようにして移載動作を行う（図３の矢符Ｐ３参照）。
【００５４】
上記移載動作が完了すると、制御ユニット９６からブース側水平移動部３２及びブース側昇降移動部３６に金庫ボックス９０をブース台２０側へ搬送する指令が与えられ、ブース側水平移動部３２及びブース側昇降移動部３６は金庫ボックス９０を搬送してブース側昇降移動部３６に送込む（図２及び図３の矢符Ｐ４参照）。金庫ボックス９０がブース側昇降移動部３６に移載されると、制御ユニット９６からブース側昇降移動部３６に金庫ボックス９０を上昇させる旨の指令が与えられ、ブース側昇降移動部３６は金庫ボックス９０を上昇させる（図２の矢符Ｐ５参照）。これにより、金庫ボックス９０は略方形の天板開口２３から突出するようにしてブース台２０に配設される。そして、利用者は、当該金庫ボックス９０を、自己に貸与された鍵等を用いて解錠し、蓋を開いて利用することができる。
【００５５】
金庫ボックス９０を格納部１３に格納する場合には、上記とは逆の動作が行われる。
【００５６】
すなわち、利用者が金庫ボックス９０の利用終了後、蓋を閉じて施錠した後、入力部９８に対して金庫ボックス９０を格納する旨の指示を入力する。入力部９８に対する入力は、本自動貸金庫装置１０の利用者が行ってもよいし、別途存在する係員等が行ってもよい。
【００５７】
格納指示入力後、制御ユニット９６による制御下、ブース側昇降移動部３６が金庫ボックス９０を下降移動させ、その後、ブース側昇降移動部３６及びブース側水平移動部３２は金庫ボックス９０をブース側昇降移動部３６から一方の格納棚１２の外側方位置に搬送する。
【００５８】
この後、制御ユニット９６による制御下、棚側搬送機構部４０は、移載ユニット６０をブース側水平移動部３２と対向する位置に移動させ、続いて、移載ユニット６０はブース側水平移動部３２上の金庫ボックス９０を取込むように移載する。続いて、棚側搬送機構部４０は、移載ユニット６０を、金庫ボックス９０を格納すべき格納部１３と対向する位置に移動させる。金庫ボックス９０を格納すべき格納部１３の位置は、取出し前に格納されていた位置であってもよいし、他の空き位置であってもよい。後者の場合、格納位置情報を当該格納位置に合わせて更新するとよい。そして、移載ユニット６０は、金庫ボックス９０を格納すべき格納部１３と対向する位置に移動した状態で、自己に載置された金庫ボックス９０を当該格納部１３に送込むようにして移載する。これにより、金庫ボックス９０が格納部１３に格納され、動作を終了する。
【００５９】
＜金庫室内における制御ボックスの配置＞
図４及び図５は金庫室１８内における制御ボックス１の配置状態を示す平面図である。図６は仕切扉９の開状態における制御ボックス１の露出状態を模式的に示す正面図である。図４及び図６(a) は制御ボックス１の通常時設置状態（第１の設置状態）を示しており、図５及び図６(b) は制御ボックス１のメンテナンス時設置状態（第２の設置状態）を示している。
【００６０】
これらの図に示すように、金庫室１８は外壁部１５によって１対の格納棚１２を取り囲むようにして構成される。この際、金庫室１８の省面積化を図るべく、従来の金庫室で確保されていた従来外壁想定領域１６から長さ方向縮小寸法ＬＡ（例：仕切扉９側１００ｍｍ程度、他方２０ｍｍ程度）及び幅方向縮小寸法ＬＢ（例：双方２０ｍｍ程度）を狭めた結果、１対の格納棚１２及び制御ボックス１と外壁部１５との間の空間が必要最小限の寸法に狭められている。
【００６１】
このため、制御ボックス１は内部の駆動制御部８６の動作の良否検査等のメンテナンス作業は、外壁部１５の仕切壁部分に設けられた仕切扉９を閉状態にした後、金庫室１８内で行うことは大変困難となっている。
【００６２】
なお、駆動制御部８６は前述した制御ユニット９６に相当する部分であり、制御ユニット９６そのものであっても、制御ユニット９６のうち棚側搬送機構部４０及び昇降機構部５０等の金庫室１８内の駆動制御部分であっても良い。すなわち、駆動制御部８６は棚側搬送機構部４０、昇降機構部５０、ブース側搬送機構部３０、移載ユニット６０等の搬送機構の少なくとも一部の駆動制御を行う機能を有している。
【００６３】
制御ボックス１は上面の上部に駆動制御部８６の動作を停止させる停止ボタン２が設けられている。また、制御ボックス１の上面における停止ボタン２の下方に上面蓋部１ｕｄを有しており、この上面蓋部１ｕｄを固定する蝶ネジ（図示せず）等を取り外すことにより、制御ボックス１の上面から内部の駆動制御部８６を開放し、当該駆動制御部８６に対する作業者によるメンテナンス動作等の操作が可能となる。
【００６４】
前述したように、一対の格納棚１２は外壁部１５内において、外壁部１５から必要最小限の空間のみを隔てて設けられおり、必然的に外壁部１５の近傍に格納棚１２の側面が配置することになる。すなわち、格納棚１２の側面は金庫室１８内の角部１８ｅの近傍に設けられることになる。
【００６５】
このような制約下における一方の格納棚１２の側面に制御ボックス１が設けられる。制御ボックス１は停止ボタン２の下方の上面領域に内部の駆動制御部８６のメンテナンスができる状態で開放可能な上面蓋部１ｕｄを有している。
【００６６】
一方、仕切扉９は外壁部１５の上述した制約により、そのヒンジ部分が角部１８ｅから中心方向（図４及び図５の方向Ｄ１参照）にズレ込む結果、金庫室１８内の角部１８ｅの近傍にヒンジ部分を設けることができない。
【００６７】
したがって、図４の制御ボックス１の通常時設置状態で仕切扉９を開状態にしても、図６の(a) に示すように、仕切扉９の開状態時における開口領域（扉エッジライン９Ｌより右側の領域）のうち、制御ボックス１の露出幅はＡＰ１に制限される。
【００６８】
このように、制御ボックス１が通常設置状態の場合、仕切扉９を開状態にしても、制御ボックス１の露出幅ＡＰ１に制限されるため、上面蓋部１ｕｄを取り外す作業、及び上面蓋部１ｕｄ取り外し後の内部の駆動制御部８６のメンテナンス作業を行うことは困難である。
【００６９】
そこで、本実施の形態では、制御ボックス１をスライド移動方向ＭＨに移動可能にすることにより、図４及び図６(a) で示す通常設置状態から、図５及び図６の(b) で示すメンテナンス時設置状態への可変移動を可能にしている。
【００７０】
その結果、図６の(b) に示すように、仕切扉９の開状態時における開口領域（扉エッジライン９Ｌより右側の領域）のうち、制御ボックス１の露出幅はＡＰ２となり、通常時設置状態の露出幅ＡＰ１より制御ボックス１の上面領域の露出面積は増大する。
【００７１】
このように、本実施の形態の制御ボックス１は、図４及び図６(a) で示す通常設置状態に加えて、図５及び図６(b) で示すメンテナンス時設置状態に可変移動可能に、格納棚１２の側面に設けられている。
【００７２】
このため、仕切扉９の開状態時において、メンテナンス時設置状態の制御ボックス１の上面領域の開口領域における露出面積（露出幅ＡＰ２による露出面積）を、通常設置状態の露出面積（露出幅ＡＰ１による露出面積）比べ増大させることができる。
【００７３】
したがって、通常時は、制御ボックス１を通常設置状態に設定して、一対の格納棚１２間に設けられる所定の間隔ＤＰをほぼ確保することにより、一対の格納棚１２，１２間の金庫利用者の通行を支障なく可能にしている。
【００７４】
さらに、制御ボックス１内の駆動制御部８６のメンテナンス時は、制御ボックス１をメンテナンス時設置状態に設定して、上面蓋部１ｕｄの取り外し操作、内部の駆動制御部８６のメンテナンス操作についての操作性を、通常設置状態と比較して大きく向上させることができる効果を奏する。
【００７５】
この効果は、金庫室１８内の領域の縮小化、一対の格納棚１２自体の縮小化等の面積制約により、仕切扉９による開口領域の自由度が狭くなる場合により顕著に発揮することができる。その結果、省スペース化時においても、制御ボックス１のメンテナンスが支障なく可能な自動貸金庫装置を得ることができる。
【００７６】
＜制御ボックス１の設置機構＞
図７は制御ボックス１の上部の設置状態の詳細を示す斜視図である。図８は制御ボックス１の全体の設置状態を模式的に示す正面図である。
【００７７】
図７に示すように、格納棚１２の側面と制御ボックス１の制御ボックス上面部１ｕとをＬ字留め具３を用いて設置している。Ｌ字留め具３の側面止め部３ｓは格納棚１２の側面上に設けられ、側面止め部３ｓの開口部５内にネジ７を通して格納棚１２内にネジどめすることにより、格納棚１２の側面にＬ字留め具３の側面止め部３ｓを固定している。
【００７８】
一方、図７及び図８に示すように、Ｌ字留め具３のＬ字の上面止め部３ｕにおいて開口部４を通してボルト６の軸部を制御ボックス上面部１ｕから制御ボックス１内に貫通させ、ボルト６の軸部にナット８をねじ締めして締結することにより、制御ボックス上面部１ｕに上面止め部３ｕを設置する。
【００７９】
この際、ナット８とＬ字留め具３の上面止め部３ｕとの間に僅かに余裕を持たせ、制御ボックス１が開口部４内をスライド移動方向ＭＨに移動可能にしている。
【００８０】
なお、制御ボックス１の下部においても上部と同様にスライド移動方向ＭＨ方向に移動可能にＬ字留め具３による制御ボックス１の格納棚１２の側面への設置を実現している。  このように、制御ボックス１の上面及び下面それぞれにＬ字留め具３を用いることにより、制御ボックス１をスライド移動方向ＭＨに移動可能に格納棚１２の側面に設置している。
【００８１】
したがって、作業者等は制御ボックス１の一側面から、スライド移動方向ＭＨに力を加え、格納棚１２の側面上で制御ボックス１をスライド移動方向ＭＨにスライド移動させることにより、制御ボックス１の通常設置状態〜メンテナンス時設置状態間の可変移動が可能となる。
【００８２】
＜制御ボックス１の停止ボタン２＞
図６，図７等に示すように、制御ボックス１の停止ボタン２は制御ボックス１の上部中心部に配置されており、押圧処理により制御ボックス１内の駆動制御部８６を電源停止状態にすることができる。駆動制御部８６を電源停止状態にすることにより、金庫室１８内を金庫利用者等が安全に移動することができる。
【００８３】
また、図６に示すように、制御ボックス１の通常時設置状態及びメンテナンス時設置状態双方において、開口領域に露出する停止用ボタン２を有している。
【００８４】
したがって、通常時及びメンテナンス時のいずれにおいても、仕切扉９の開状態にして停止用ボタン２を押圧することにより、駆動制御部８６を比較的簡単に停止させることができる効果を奏する。また、仕切扉９の開状態時において正面に停止ボタン２が露出するため、金庫利用者等が停止ボタン２の押圧処理を怠ることを確実に回避することができる。
【００８５】
また、停止ボタン２を制御ボックス１の上面中央部に設けているため、制御ボックス１と仕切扉９との関係が本実施の形態と異なる態様となる場合（例えば、仕切扉９が右開きとなり、制御ボックス１の左側が露出領域となる場合）においても、制御ボックス１の通常時設置状態及びメンテナンス時設置状態双方において、開口領域に停止用ボタン２は露出する。このように、停止ボタン２の配置を変更する必要がない分、停止ボタン２に関し汎用性の高い制御ボックス１とすることができる。
【００８６】
なお、本実施の形態では、金庫室１８内に一対の格納棚１２（第１及び第２の格納棚）が設けられる構成を示したが、この構成に限定されず、１つの格納棚や複数対の格納棚等多様な構成の格納棚に対して発明の原理で述べた特徴をゆする本発明を適用することができる。
【符号の説明】
【００８７】
１  制御ボックス
２  停止ボタン
３  Ｌ字留め具
４  開口部
５  開口部
６  ボルト
７  ネジ
８  ナット
９  仕切扉
１２  格納棚
１５  外壁部
【図１】
0005405203.tif 000002
【図２】
0005405203.tif 000003
【図３】
0005405203.tif 000004
【図４】
0005405203.tif 000005
【図５】
0005405203.tif 000006
【図６】
0005405203.tif 000007
【図７】
0005405203.tif 000008
【図８】
0005405203.tif 000009